(57)【特許請求の範囲】
【請求項１】
車のイグニッションキーのロックおよびアンロックを行なうキーインタロック装置であって、
イグニッションスイッチと、
前記イグニッションスイッチに直列に接続され、シフトレバーがＰポジションから解除されたときにオンする第１スイッチと、
前記第１スイッチと並列に接続され、前記シフトレバーがＰポジションから解除されたときにオンし、他のポジションへ操作されたときにオフする第２スイッチと、
前記第１スイッチと前記第２スイッチのいずれかがオンのとき、該オンしたスイッチを介して電力の供給を受けて前記イグニッションキーをロックするキーロックソレノイドと、
前記第１スイッチと直列に接続され、前記キーロックソレノイドへ流れる電流を調節する電流調節素子と
を備えるキーインタロック装置。
【請求項２】
前記電流調節素子は、抵抗要素である請求項１記載のキーインタロック装置。
【発明の詳細な説明】
【０００１】
【発明の属する技術分野】
本発明は、キーインタロック装置に関し、詳しくは、車のイグニッションキーのロックおよびアンロックを行なうキーインタロック装置に関する。
【０００２】
【従来の技術】
従来、キーインタロック装置としては、イグニッションスイッチとシフトレバーのポジションに応じてスイッチング素子が動作し、イグニッションキーのロックおよびアンロックを行なうものが提案されている。この装置では、イグニッションスイッチがＡＣＣへ操作されシフトレバーがＰポジション以外のポジションへ操作されたとき、トランジスタがオンし、キーロックソレノイドへ電流が流れてイグニッションキーのロックを行なう。また、シフトレバーが他のポジションからＰポジションへ操作されたとき、オンしていたトランジスタがオフし、キーロックソレノイドへ流れる電流を遮断してイグニッションキーのアンロックを行なう。
【０００３】
【発明が解決しようとする課題】
しかしながら、こうしたキーインタロック装置では、イグニッションキーのロック保持の状態におけるキーインタロック装置の消費電力が過大となったり、またキーインタロック装置に熱が発生する場合があった。イグニッションキーのロックを迅速かつ確実に行なうにはイグニッションキーのロック開始時にキーロックソレノイドへ所定量以上の電流の印加が必要であるが、ロックの状態の保持にはそれより少ない電流であってもよい。ところが、上述の装置では、ロック保持の状態でもトランジスタを介して印加される電流はロック開始時と同じであるから、ロック保持に必要な電流より大きな電流が印加されてしまう。
【０００４】
本発明のキーインタロック装置は、装置の消費電力を調節することを目的の一つとする。また、本発明のキーインタロック装置は、装置に発生する熱を調節することを目的の一つとする。
【０００５】
【課題を解決するための手段およびその作用・効果】
本発明のキーインタロック装置は、上述の目的の少なくとも一部を達成するために以下の手段を採った。
【０００６】
本発明のキーインタロック装置は、車のイグニッションキーのロックおよびアンロックを行なうキーインタロック装置であって、イグニッションスイッチと前記イグニッションスイッチに直列に接続され、シフトレバーがＰポジションから解除されたときにオンする第１スイッチと、前記第１スイッチと並列に接続され、前記シフトレバーがＰポジションから解除されたときにオンし、他のポジションへ操作されたときにオフする第２スイッチと、前記第１スイッチと前記第２スイッチのいずれかがオンのとき、該オンしたスイッチを介して電力の供給を受けて前記イグニッションキーをロックするキーロックソレノイドと、前記第１スイッチと直列に接続され、前記キーロックソレノイドへ流れる電流を調節する電流調節素子とを備えることを要旨とする。
【０００７】
この本発明のキーインタロック装置では、イグニッションスイッチに直列に接続された第１スイッチは、シフトレバーがＰポジションから解除されたときにオンし、第１スイッチに並列に接続された第２スイッチは、シフトレバーがＰポジションから解除されたときにオンして他のポジションへ操作されたときにオフする。また、キーロックソレノイドは、第１スイッチと第２スイッチのいずれかがオンのとき、オンしたスイッチを介して電力の供給を受け、第１スイッチと直列に接続された電流調節素子は、第１スイッチを介してキーロックソレノイドヘ流れる電流を調節する。したがって、シフトレバーがＰポジションから解除されると、第１スイッチと第２スイッチが共にオンするから、キーロックソレノイドには、第１スイッチと第２スイッチを介して電流が印加され、イグニッションキーをロックする。このとき、電流は、電流調節素子が抵抗として作用する場合が多いため、抵抗値の少ない第２スイッチ側を主に流れる。Ｐポジションから解除されたシフトレバーが他のポジションへ操作されると、第１スイッチはオンの状態を保持しつつ第２スイッチはオフされるから、キーロックソレノイドには、第１スイッチを介して電流が印加され、イグニッションキーのロックの状態を保持する。このとき、第１スイッチと直列に接続された電流調節素子がソレノイドへ印加される電流を調節するから、装置の消費電力を調節でき、装置に発生する熱を調節できる。
【０００８】
こうした本発明のキーインタロック装置において、電流調節素子として抵抗要素を用いることもできる。特に、キーロックソレノイドへ印加される電流が少なくなるものを用いれば、装置の消費電力を低減でき、装置に発生する熱を低減することができる。また、抵抗要素として抵抗を用いることもでき、この場合、装置を簡易に構成することができる。
【０００９】
【発明の実施の形態】
次に、本発明の実施の形態を実施例を用いて説明する。図１は本発明の一実施例であるキーインタロック装置２２を備えるシフトロックコントロールシステム２０の構成の概略を示す構成図であり、図２はシフトレバーのポジションパターンの一例を示す説明図である。シフトロックコントロールシステム２０は、キーインタロック装置２２の他にニュートラルスタートスイッチ１０やエンジンへの燃料の供給等を制御する電子制御装置１２などを備える。本発明の主要部はキーインタロック装置２２にあるから、以下、本発明の一実施例であるキーインタロック装置２２について詳述する。
【００１０】
実施例のキーインタロック装置２２は、電源３８からの電力の供給をオンオフするイグニッションスイッチ２４と、シフトレバーのポジションに応じてオンまたはオフするスイッチ群としてのスイッチＳ／Ａ４２と、イグニッションスイッチ２４とスイッチＳ／Ａ４２とを介して電源３８から電力の供給を受けイグニッションキーをロックする電動アクチュエータの一部としてのキーロックソレノイド３２とを備える。  スイッチＳ／Ａ４２は、キーロックソレノイド３２に対して並列に接続された第１スイッチ２６と第２スイッチ２８とを備える。第１スイッチ２６は、シフトレバーがＰポジションから解除されたときにオンし、第２スイッチ２８は、シフトレバーがＰポジションから解除されたときにオンすると共に他のポジションへ操作されたときにオフする。第１スイッチ２６には、抵抗３０が直列に接続されている。抵抗３０は、キーロックソレノイド３２が稼働した状態を維持するのに必要な電流が流れるようその抵抗値が設定されている。なお、この値は用いる電源３８やキーロックソレノイド３２によって定まる。
【００１１】
次に、こうして構成された実施例のキーインタロック装置２２の動作について説明する。操作者によりイグニッションスイッチ２４がＡＣＣへ操作され、シフトレバーがＰポジションから解除されると、すなわち、シフトレバーが図２中Ｃの領域からＡの領域に操作されると、第１スイッチ２６と第２スイッチ２８は共にオンし、第１スイッチ２６と第２スイッチ２８とを介してキーロックソレノイド３２に電力が供給される。このとき、第１スイッチ２６には抵抗３０が直列に接続されているから、これよりも抵抗値の少ない第２スイッチ２８側を介して主に電流がキーロックソレノイド３２に印加される。このときにキーロックソレノイド３２に印加される電流は、迅速にイグニッションキーがロックされるように調節されている。
【００１２】
Ｐポジションから解除されたシフトレバーが他のポジション（例えば、ＲポジションやＮポジションなど）へ操作されると、すなわち、シフトレバーが図２中Ａの領域からＢの領域に操作されると、第２スイッチ２８はオフとなる。第１スイッチ２６はオン状態を保持するから、キーロックソレノイド３２には、この第１スイッチ２６を介し電流が印加される。このとき、キーロックソレノイド３２に印加される電流は、抵抗３０によりロック保持に必要な電流に調節されるから、キーロックソレノイド３２で消費される電力はロック開始時より小さいものとなる。
【００１３】
以上説明した実施例のキーインタロック装置２２によれば、ロック開始時にはロック開始に必要な電流を印加し、ロック保持時にはロック保持に必要な電流を印加することができる。この結果、イグニッションキーのロック保持時におけるキーインタロック装置２２の消費電力を低減することができ、キーインタロック装置２２に発生する熱を低減することができる。
【００１４】
実施例のキーインタロック装置２２では、第１スイッチ２６と抵抗３０を用いただけの簡易な構成により、イグニッションキーのロック保持時における電流を調節したが、抵抗以外のものであって抵抗として機能し得る如何なるもので電流を調節してもよい。また、電流を調節できるもの、例えば、電流増幅素子として機能するトランジスタ等とこれを制御する制御装置とを備えるものとしてもよい。
【００１５】
以上、本発明の実施の形態について実施例を用いて説明したが、本発明はこうした実施例に何ら限定されるものではなく、本発明の要旨を逸脱しない範囲において、種々なる形態で実施し得ることは勿論である。
【図面の簡単な説明】
【図１】本発明の一実施例であるキーインタロック装置２２の構成を含むシフトロックコントロールシステム２０の構成の概略を示す構成図である。
【図２】シフトレバーのポジションパターンの一例を示す説明図である。
【符号の説明】
１０  ニュートラルスタートスイッチ、１２  電子制御装置、２０  シフトロックコントロールシステム、２２  キーインタロック装置、２４  イグニッションスイッチ、２６  第１スイッチ、２８  第２スイッチ、３０  抵抗、３２  キーロックソレノイド、３８  電源、４２  スイッチＳ／Ａ。
【図１】
0003615448.tif 000002
【図２】
0003615448.tif 000003